(57)【要約】【課題】表示されている文字を確実に視認する。【解決手段】表示制御装置１００が、漢字の視認度に応じた分類情報に基づいて漢字を分類して記憶し、漢字を変換する条件である変換条件を分類情報ごとに記憶し、利用者の顔と表示部２００との間の距離および表示部２００に表示させる漢字の表示形態が、記憶されている変換条件を満たしているかどうかを判定し、変換条件を満たしていると判定した場合、漢字を変換して表示部２００に表示させる。【選択図】図１
2014182703.tif 000002
【特許請求の範囲】
【請求項１】
漢字の視認度に応じた分類情報に基づいて該漢字を分類して記憶し、前記漢字を変換する条件である変換条件を前記分類情報ごとに記憶する記憶部と、
利用者の顔と表示部との間の距離および前記表示部に表示させる漢字の表示形態が、前記記憶部に記憶されている前記変換条件を満たしているかどうかを判定し、前記変換条件を満たしていると判定した場合、該漢字を変換する制御部とを有する表示制御装置。
【請求項２】
請求項１に記載の表示制御装置において、
前記制御部は、前記漢字をかな文字へ変換する表示制御装置。
【請求項３】
請求項１または請求項２に記載の表示制御装置において、
前記距離を測定する距離測定部を有する表示制御装置。
【請求項４】
請求項１から３のいずれか１項に記載の表示制御装置において、
前記記憶部は、前記漢字の複雑さを前記分類情報として用いて、前記漢字を分類して記憶する表示制御装置。
【請求項５】
請求項１から４のいずれか１項に記載の表示制御装置において、
前記記憶部は、前記漢字と該漢字以外の漢字との類似のレベルを前記分類情報として用いて、前記漢字を分類して記憶する表示制御装置。
【請求項６】
請求項１から５のいずれか１項に記載の表示制御装置において、
前記記憶部は、前記変換条件として、前記漢字の字体、該漢字の表示サイズおよび前記利用者の顔と前記表示部との間の距離範囲を記憶する表示制御装置。
【請求項７】
利用者の顔と表示部との間の距離を測定する処理と、
前記利用者の顔と前記表示部との間の距離および前記表示部に表示させる漢字の表示形態が、前記漢字の視認度に応じて前記漢字を分類した分類情報ごとに記憶されている変換条件を満たしているかどうかを判定する処理と、
前記変換条件を満たしていると判定した場合、前記表示部に表示させる漢字を変換する処理とを行う表示制御方法。
【請求項８】
コンピュータに、
利用者の顔と表示部との間の距離を測定する手順と、
前記利用者の顔と前記表示部との間の距離および前記表示部に表示させる漢字の表示形態が、前記漢字の視認度に応じて前記漢字を分類した分類情報ごとに記憶されている変換条件を満たしているかどうかを判定する手順と、
前記変換条件を満たしていると判定した場合、前記表示部に表示させる漢字を変換する手順とを実行させるためのプログラム。
【請求項９】
表示部と、
漢字の視認度に応じた分類情報に基づいて該漢字を分類して記憶し、前記漢字を変換する条件である変換条件を前記分類情報ごとに記憶する記憶部と、
利用者の顔と前記表示部との間の距離および前記表示部に表示させる漢字の表示形態が、前記記憶部に記憶されている前記変換条件を満たしているかどうかを判定し、前記変換条件を満たしていると判定した場合、該漢字を変換する制御部とを有する情報機器。
【発明の詳細な説明】
【技術分野】
【０００１】
本発明は、情報の表示を制御する表示制御装置、表示制御方法およびそのプログラムならびに情報機器に関する。
【背景技術】
【０００２】
近年、携帯端末（例えば、スマートフォン等）をはじめとする、情報を表示する情報機器ではＬＣＤパネルの解像度の向上により、より細かく鮮明な表示が可能となり、一画面に表示可能な文字表示最大数も増えてきている。
【０００３】
一方で、このような情報機器の大きさの関係から、画面サイズを大きくすることが困難である。そのため、利用者が情報機器の画面を参照する際の、利用者から画面までの距離によっては、表示されている漢字を視認できない場面が生じてしまうおそれがある。そのような場合、利用者は当該漢字を視認するために、画面に顔を近づけたり、所定の操作を行って当該文字を拡大表示させたりしなければならない。そのため、利用者に対して、当該漢字を視認し易くするための操作の負担をかけてしまう。
【０００４】
そこで、利用者と画面との間に距離に応じて、表示されている文字の大きさや画面のレイアウトを変更する技術が考えられている（例えば、特許文献１，２参照。）。
【先行技術文献】
【特許文献】
【０００５】
【特許文献１】特開２００４−３３６４３９号公報
【特許文献２】特開平１０−２６０６６６号公報
【発明の概要】
【発明が解決しようとする課題】
【０００６】
漢字を視認可能とするために、特許文献１，２に記載された技術のように、文字の大きさやレイアウトを変更してしまうと、視認したい漢字の表示位置が変わってしまったり、表示されている画面そのものが変わってしまったりすることがある。そのため、視認しようとしていた漢字自体を見失ってしまうおそれがあり、一概に視認し易くすることができるとは言いきれない。
【０００７】
本発明の目的は、前述した課題を解決する表示制御装置、表示制御方法およびそのプログラムならびに情報機器を提供することである。
【課題を解決するための手段】
【０００８】
本発明の表示制御装置は、
漢字の視認度に応じた分類情報に基づいて該漢字を分類して記憶し、前記漢字を変換する条件である変換条件を前記分類情報ごとに記憶する記憶部と、
利用者の顔と表示部との間の距離および前記表示部に表示させる漢字の表示形態が、前記記憶部に記憶されている前記変換条件を満たしているかどうかを判定し、前記変換条件を満たしていると判定した場合、該漢字を変換する制御部とを有する。
【０００９】
また、本発明の表示御方法は、
利用者の顔と表示部との間の距離を測定する処理と、
前記利用者の顔と前記表示部との間の距離および前記表示部に表示させる漢字の表示形態が、前記漢字の視認度に応じて前記漢字を分類した分類情報ごとに記憶されている変換条件を満たしているかどうかを判定する処理と、
前記変換条件を満たしていると判定した場合、前記表示部に表示させる漢字を変換する処理とを行う。
【００１０】
また、本発明のプログラムは、
コンピュータに実行させるためのプログラムであって、
利用者の顔と表示部との間の距離を測定する手順と、
前記利用者の顔と前記表示部との間の距離および前記表示部に表示させる漢字の表示形態が、前記漢字の視認度に応じて前記漢字を分類した分類情報ごとに記憶されている変換条件を満たしているかどうかを判定する手順と、
前記変換条件を満たしていると判定した場合、前記表示部に表示させる漢字を変換する手順とを実行させる。
【００１１】
また、本発明の情報機器は、
表示部と、
漢字の視認度に応じた分類情報に基づいて該漢字を分類して記憶し、前記漢字を変換する条件である変換条件を前記分類情報ごとに記憶する記憶部と、
利用者の顔と前記表示部との間の距離および前記表示部に表示させる漢字の表示形態が、前記記憶部に記憶されている前記変換条件を満たしているかどうかを判定し、前記変換条件を満たしていると判定した場合、該漢字を変換する制御部とを有する。
【発明の効果】
【００１２】
以上説明したように、本発明においては、表示されている漢字を視認し易くすることができる。
【図面の簡単な説明】
【００１３】
【図１】本発明の情報機器の第１の実施の形態を示す図である。
【図２】図１に示した表示制御装置の内部構成の一例を示す図である。
【図３】図２に示した記憶部に記憶された、視認度に応じた分類情報に基づいて分類された漢字の一例を示す図である。
【図４】図２に示した記憶部に記憶された変換条件の一例を示す図である。
【図５】図１に示した形態における表示制御方法を説明するためのフローチャートである。
【図６Ａ】図２に示した制御部が表示部に表示させようとしている情報の一例を示す図である。
【図６Ｂ】図２に示した制御部が、「島」および「烏」の漢字を変換せず、「鯱」および「蝋燭」の漢字をひらがなへ変換して表示部に表示させた場合の表示画面の一例を示す図である。
【図６Ｃ】図２に示した制御部が、「島」の漢字を変換せず、「鯱」、「蝋燭」および「烏」の漢字をひらがなへ変換して表示部に表示させた場合の表示画面の一例を示す図である。
【図７】本発明の情報機器の第２の実施の形態を示す図である。
【図８】図７に示した表示制御装置の内部構成の一例を示す図である。
【図９】図７に示した形態における表示制御方法を説明するためのフローチャートである。
【図１０】本発明の情報機器の第３の実施の形態を示す図である。
【図１１】図１０に示した表示制御装置の内部構成の一例を示す図である。
【図１２】図１１に示した記憶部に記憶された変換条件の一例を示す図である。
【図１３】図１０に示した形態における表示制御方法を説明するためのフローチャートである。
【発明を実施するための形態】
【００１４】
以下に、本発明の実施の形態について図面を参照して説明する。
（第１の実施の形態）
図１は、本発明の情報機器の第１の実施の形態を示す図である。
【００１５】
本形態における情報機器１０には図１に示すように、表示制御装置１００と、表示部２００とが設けられている。なお、図１には、情報機器１０に設けられた構成要素のうち、本実施の形態に関わる主要な構成要素の一例を示す。
【００１６】
表示部２００は、表示制御装置１００からの指示に従って情報を表示するＬＣＤ（Ｌｉｑｕｉｄ  Ｃｒｙｓｔａｌ  Ｄｉｓｐｌａｙ）等のディスプレイである。
【００１７】
表示制御装置１００は、表示部２００における表示を制御する。
【００１８】
図２は、図１に示した表示制御装置１００の内部構成の一例を示す図である。
【００１９】
図１に示した表示制御装置１００には図２に示すように、記憶部１１０と、制御部１２０とが設けられている。なお、図２には、表示制御装置１００に設けられた構成要素のうち、本実施の形態に関わる主要な構成要素の一例を示す。
【００２０】
記憶部１１０は、漢字の視認度に応じた分類情報に基づいて、漢字を分類して記憶する。また、記憶部１１０は、表示部２００に表示させる漢字を変換する条件である変換条件を分類情報ごとに記憶する。
【００２１】
図３は、図２に示した記憶部１１０に記憶された、視認度に応じた分類情報に基づいて分類された漢字の一例を示す図である。
【００２２】
図２に示した記憶部１１０には図３に示すように、複数（図３に示した例では３つ）のカテゴリに漢字が分類されて記憶されている。図３に示した例では、カテゴリ１は、漢字の複雑さによる漢字の視認のし易さに基づいて分類を行う分類情報である。また、カテゴリ２は、漢字の構成の類似性による漢字の視認のし易さや、つまり他の漢字との類似のレベルに基づいて分類を行う分類情報である。また、カテゴリ３は、カテゴリ２に似ているが、漢字の部首に基づいて分類を行う分類情報である。また、これらの分類情報は、分類情報を変更するユーザインターフェースを表示制御装置１００が具備することで、外部から設定・編集可能なものである。
【００２３】
図４は、図２に示した記憶部１１０に記憶された変換条件の一例を示す図である。
【００２４】
図２に示した記憶部１１０には図４に示すように、カテゴリ条件となる分類情報、漢字のフォントの種類（字体）、漢字のフォントサイズ（表示サイズ）および距離が変換条件として記憶されている。この距離は、利用者の顔と表示部２００との間の距離範囲である。これらの条件は、あらかじめ登録されているものであり、例えば、初回設定ウィザードでの設定や、個別のユーザ設定等、任意の入力方法を用いて外部から設定・編集可能なものである。
【００２５】
制御部１２０は、表示部２００に表示させる漢字を、利用者の顔と表示部２００との間の距離、表示部２００に表示させる漢字の表示形態および記憶部１１０に記憶されている変換条件に基づいて変換する。この表示形態とは、表示部２００に表示させる漢字のフォントの種類（字体）およびフォントサイズ（表示サイズ）である。具体的には、制御部１２０は、利用者の顔と表示部２００との間の距離および表示部２００に表示させる漢字の表示形態が、記憶部１１０に記憶されている変換条件と合致すると判定した場合、当該漢字をかな文字へ変換して表示部２００に表示させる。一方、制御部１２０は、利用者の顔と表示部２００との間の距離および表示部２００に表示させる漢字の表示形態が、記憶部１１０に記憶されている変換条件と合致しないと判定した場合は、表示部２００に表示させる漢字を変換せずに表示部２００に表示させる。
【００２６】
以下に、本形態における表示制御方法について説明する。
【００２７】
図５は、図１に示した形態における表示制御方法を説明するためのフローチャートである。
【００２８】
まず、前処理として、利用者の操作に基づいて、制御部１２０は、表示部２００に表示させる文字の字体や表示サイズを設定する。この設定は、情報機器１０における全般の設定もしくは各アプリケーション個別の表示設定を含む。
【００２９】
制御部１２０は、表示部２００に表示させる文字列から漢字を抽出する（ステップＳ１）。制御部１２０は、抽出した漢字が分類されているカテゴリ情報を記憶部１１０から取得する（ステップＳ２）。例えば、図３に示したカテゴリが記憶部１１０に記憶されている場合、ステップＳ１で制御部１２０が抽出した漢字が「憂鬱」であると、制御部１２０は記憶部１１０からカテゴリ情報として「カテゴリ１」を取得する。また、ステップＳ１で制御部１２０が抽出した漢字が「鳥」であると、制御部１２０は記憶部１１０からカテゴリ情報として「カテゴリ２」を取得する。また、ステップＳ１で制御部１２０が抽出した漢字が「鮭」であると、制御部１２０は記憶部１１０からカテゴリ情報として「カテゴリ３」を取得する。
【００３０】
また、制御部１２０は、前処理で設定された文字の字体や表示サイズに基づいて、抽出した漢字の字体（フォント種類）および表示サイズの情報を取得する（ステップＳ３）。
【００３１】
続いて、制御部１２０は、利用者の顔と表示部２００との間の距離、取得したカテゴリ情報、漢字のフォント種類および表示サイズが、記憶部１１０に記憶されている変換条件を満たすかどうかを判定する（ステップＳ４）。
【００３２】
利用者の顔と表示部２００との間の距離、カテゴリ情報、漢字のフォント種類および表示サイズが、記憶部１１０に記憶されている変換条件を満たすと制御部１２０が判定した場合、制御部１２０は、当該漢字をかな文字（例えば、ひらがな）へ変換する（ステップＳ５）。その後、制御部１２０は、漢字を変換した表示内容を表示部２００に表示させる（ステップＳ６）。
【００３３】
一方、ステップＳ４にて、利用者の顔と表示部２００との間の距離、カテゴリ情報、漢字のフォント種類および表示サイズが、記憶部１１０に記憶されている変換条件を満たさないと制御部１２０が判定した場合は、制御部１２０は、当該漢字を変換せずに、表示内容を表示部２００に表示させる。
【００３４】
以下に、前述した表示制御方法について、具体例を挙げて説明する。ここでは、記憶部１１０に図３および図４に示した内容が記憶されている。また、利用者の顔から表示部２００の表示面までの距離が、３０ｃｍである場合と、５０ｃｍである場合を例に挙げる。
【００３５】
図６Ａは、図２に示した制御部１２０が表示部２００に表示させようとしている情報の一例を示す図である。
【００３６】
図６Ａに示すように、制御部１２０は表示部２００に、「この島には鯱がすんでいる。」という文章を１２ｐｏｉｎｔのサイズで表示させようとしている。なお、このときのフォント種類は、ゴシック体であるとする。また、制御部１２０は表示部２００に、「蝋燭でてらすと烏がいた。」という文章を１０ｐｏｉｎｔのサイズで表示させようとしている。なお、このときのフォント種類は、ゴシック体であるとする。制御部１２０は、「この島には鯱がすんでいる。」から「島」および「鯱」という漢字を抽出する。また、制御部１２０は、「島」の分類情報は「カテゴリ２」であることを記憶部１１０から取得する。また、制御部１２０は、「鯱」の分類情報は「カテゴリ１」であることを記憶部１１０から取得する。また、制御部１２０は、「島」および「鯱」のフォント種類が「ゴシック体」であり、表示サイズが「１２ｐｏｉｎｔ」であることを取得する。また、制御部１２０は、「蝋燭でてらすと烏がいた。」から「蝋燭」および「烏」という漢字を抽出する。また、制御部１２０は、「蝋燭」の分類情報は「カテゴリ１」であることを記憶部１１０から取得する。また、制御部１２０は、「烏」の分類情報は「カテゴリ２」であることを記憶部１１０から取得する。また、制御部１２０は、「蝋燭」および「烏」のフォント種類が「ゴシック体」であり、表示サイズが「１０ｐｏｉｎｔ」であることを取得する。
【００３７】
続いて、制御部１２０は、これらの取得した情報および利用者の顔から表示部２００の表示面までの距離が、記憶部１１０に記憶されている変換条件を満たすかどうかを判定する。まず、利用者の顔から表示部２００の表示面までの距離が３０ｃｍである場合について説明する。
【００３８】
まず、「島」について、「島」は分類情報が「カテゴリ２」であるため、制御部１２０は、変換条件２を参照する。さらに、「島」のフォント種類が「ゴシック体」であるため、制御部１２０は、変換条件２のうちのフォント種類を満たすと判定する。しかし、「島」の表示サイズが「１２ｐｏｉｎｔ」であるため、制御部１２０は、変換条件２のうちのフォントサイズを満たさないと判定する。また、利用者の顔から表示部２００の表示面までの距離が３０ｃｍであるため、制御部１２０は、変換条件２のうちの距離を満たさないと判定する。これらの結果、制御部１２０は、「島」については、変換条件を満たさないと判定する。
【００３９】
次に、「鯱」について、「鯱」は分類情報が「カテゴリ３」であるため、制御部１２０は、変換条件１を参照する。さらに、「鯱」のフォント種類が「ゴシック体」であるため、制御部１２０は、変換条件１のうちのフォント種類を満たすと判定する。また、「鯱」の表示サイズが「１２ｐｏｉｎｔ」であるため、制御部１２０は、変換条件１のうちのフォントサイズを満たすと判定する。また、利用者の顔から表示部２００の表示面までの距離が３０ｃｍであるため、制御部１２０は、変換条件１のうちの距離を満たすと判定する。これらの結果、制御部１２０は、「鯱」については、変換条件を満たすと判定する。
【００４０】
次に、「蝋燭」について、「蝋燭」は分類情報が「カテゴリ１」であるため、制御部１２０は、変換条件１を参照する。さらに、「蝋燭」のフォント種類が「ゴシック体」であるため、制御部１２０は、変換条件１のうちのフォント種類を満たすと判定する。また、「蝋燭」の表示サイズが「１０ｐｏｉｎｔ」であるため、制御部１２０は、変換条件１のうちのフォントサイズを満たすと判定する。また、利用者の顔から表示部２００の表示面までの距離が３０ｃｍであるため、制御部１２０は、変換条件１のうちの距離を満たすと判定する。これらの結果、制御部１２０は、「蝋燭」については、変換条件を満たすと判定する。
【００４１】
次に、「烏」について、「烏」は分類情報が「カテゴリ２」であるため、制御部１２０は、変換条件２を参照する。さらに、「烏」のフォント種類が「ゴシック体」であるため、制御部１２０は、変換条件２のうちのフォント種類を満たすと判定する。また、「烏」の表示サイズが「１０ｐｏｉｎｔ」であるため、制御部１２０は、変換条件２のうちのフォントサイズを満たすと判定する。しかし、利用者の顔から表示部２００の表示面までの距離が３０ｃｍであるため、制御部１２０は、変換条件２のうちの距離を満たさないと判定する。これらの結果、制御部１２０は、「烏」については、変換条件を満たさないと判定する。
【００４２】
以上の結果から、制御部１２０は、「島」および「烏」の漢字を変換せず、「鯱」および「蝋燭」の漢字をひらがなへ変換して表示部２００に表示させる。
【００４３】
図６Ｂは、図２に示した制御部１２０が、「島」および「烏」の漢字を変換せず、「鯱」および「蝋燭」の漢字をひらがなへ変換して表示部２００に表示させた場合の表示画面の一例を示す図である。
【００４４】
図６Ｂに示すように、「島」および「烏」は漢字で、また「鯱」および「蝋燭」は、それぞれ、ひらがな「しゃち」および「ろうそく」で表示部２００に表示される。
【００４５】
続いて、利用者の顔から表示部２００の表示面までの距離が５０ｃｍである場合について説明する。
【００４６】
まず、「島」について、「島」は分類情報が「カテゴリ２」であるため、制御部１２０は、変換条件２を参照する。さらに、「島」のフォント種類が「ゴシック体」であるため、制御部１２０は、変換条件２のうちのフォント種類を満たすと判定する。しかし、「島」の表示サイズが「１２ｐｏｉｎｔ」であるため、制御部１２０は、変換条件２のうちのフォントサイズを満たさないと判定する。また、利用者の顔から表示部２００の表示面までの距離が５０ｃｍであるため、制御部１２０は、変換条件２のうちの距離を満たすと判定する。これらの結果、制御部１２０は、「島」については、変換条件を満たさないと判定する。
【００４７】
次に、「鯱」について、「鯱」は分類情報が「カテゴリ３」であるため、制御部１２０は、変換条件１を参照する。さらに、「鯱」のフォント種類が「ゴシック体」であるため、制御部１２０は、変換条件１のうちのフォント種類を満たすと判定する。また、「鯱」の表示サイズが「１２ｐｏｉｎｔ」であるため、制御部１２０は、変換条件１のうちのフォントサイズを満たすと判定する。また、利用者の顔から表示部２００の表示面までの距離が５０ｃｍであるため、制御部１２０は、変換条件１のうちの距離を満たすと判定する。これらの結果、制御部１２０は、「鯱」については、変換条件を満たすと判定する。
【００４８】
次に、「蝋燭」について、「蝋燭」は分類情報が「カテゴリ１」であるため、制御部１２０は、変換条件１を参照する。さらに、「蝋燭」のフォント種類が「ゴシック体」であるため、制御部１２０は、変換条件１のうちのフォント種類を満たすと判定する。また、「蝋燭」の表示サイズが「１０ｐｏｉｎｔ」であるため、制御部１２０は、変換条件１のうちのフォントサイズを満たすと判定する。また、利用者の顔から表示部２００の表示面までの距離が５０ｃｍであるため、制御部１２０は、変換条件１のうちの距離を満たすと判定する。これらの結果、制御部１２０は、「蝋燭」については、変換条件を満たすと判定する。
【００４９】
次に、「烏」について、「烏」は分類情報が「カテゴリ２」であるため、制御部１２０は、変換条件２を参照する。さらに、「烏」のフォント種類が「ゴシック体」であるため、制御部１２０は、変換条件２のうちのフォント種類を満たすと判定する。また、「烏」の表示サイズが「１０ｐｏｉｎｔ」であるため、制御部１２０は、変換条件２のうちのフォントサイズを満たすと判定する。また、利用者の顔から表示部２００の表示面までの距離が５０ｃｍであるため、制御部１２０は、変換条件２のうちの距離を満たすと判定する。これらの結果、制御部１２０は、「烏」については、変換条件を満たすと判定する。
【００５０】
以上の結果から、制御部１２０は、「島」の漢字を変換せず、「鯱」、「蝋燭」および「烏」の漢字をひらがなへ変換して表示部２００に表示させる。
【００５１】
図６Ｃは、図２に示した制御部１２０が、「島」の漢字を変換せず、「鯱」、「蝋燭」および「烏」の漢字をひらがなへ変換して表示部２００に表示させた場合の表示画面の一例を示す図である。
【００５２】
図６Ｃに示すように、「島」は漢字で、また「鯱」、「蝋燭」および「烏」は、それぞれ、ひらがな「しゃち」、「ろうそく」および「からす」で表示部２００に表示される。
【００５３】
このように、制御部１２０が、表示部２００に表示させようとする漢字を、利用者の顔から表示部２００までの距離および漢字の表示形態に基づいて、かな文字へ変換して表示させることで、利用者に負担をかけずに当該漢字を視認し易くすることができる。
（第２の実施の形態）
図７は、本発明の情報機器の第２の実施の形態を示す図である。
【００５４】
本形態における情報機器１１には図７に示すように、表示制御装置１０１と、表示部２００とが設けられている。なお、図７には、情報機器１１に設けられた構成要素のうち、本実施の形態に関わる主要な構成要素の一例を示す。
【００５５】
表示部２００は、第１の実施の形態のものと同じものである。
【００５６】
表示制御装置１０１は、表示部２００における表示を制御する。
【００５７】
図８は、図７に示した表示制御装置１０１の内部構成の一例を示す図である。
【００５８】
図７に示した表示制御装置１０１には図８に示すように、記憶部１１０と、制御部１２０と、距離測定部１３０とが設けられている。なお、図８には、表示制御装置１０１に設けられた構成要素のうち、本実施の形態に関わる主要な構成要素の一例を示す。
【００５９】
記憶部１１０および制御部１２０は、第１の実施の形態のものと同じものである。
【００６０】
距離測定部１３０は、表示部２００の表示面から利用者の顔までの距離を測定する。この測定方法は、超音波センサを用いたものであっても良いし、イメージセンサと顔認識機能とを用いて、登録された利用者の顔の輪郭（目、鼻、口等）の大きさ等で、表示部２００の表示面から利用者の顔までの距離を測定するものであっても良く、特に規定しない。距離測定部１３０は、測定した結果を制御部１２０へ通知する。
【００６１】
以下に、本形態における表示制御方法について説明する。
【００６２】
図９は、図７に示した形態における表示制御方法を説明するためのフローチャートである。
【００６３】
まず、前処理として、利用者の操作に基づいて、制御部１２０は、表示部２００に表示させる文字の字体や表示サイズを設定する。この設定は、情報機器１１における全般の設定もしくは各アプリケーション個別の表示設定を含む。
【００６４】
距離測定部１３０が、表示部２００の表示面から利用者の顔までの距離を測定する（ステップＳ１１）。この測定方法は、前述したとおりである。また、距離測定部１３０は、利用者の顔のうち、目の位置から表示部２００の表示面までの距離を測定するものが好ましい。
【００６５】
距離測定部１３０は、測定した距離を制御部１２０へ通知する。すると、制御部１２０は、表示部２００に表示させる文字列から漢字を抽出する（ステップＳ１２）。また、制御部１２０は、抽出した漢字が分類されているカテゴリ情報を記憶部１１０から取得する（ステップＳ１３）。例えば、図３に示したカテゴリが記憶部１１０に記憶されている場合、ステップＳ１２で制御部１２０が抽出した漢字が「憂鬱」であると、制御部１２０は記憶部１１０からカテゴリ情報として「カテゴリ１」を取得する。また、ステップＳ１２で制御部１２０が抽出した漢字が「鳥」であると、制御部１２０は記憶部１１０からカテゴリ情報として「カテゴリ２」を取得する。また、ステップＳ１２で制御部１２０が抽出した漢字が「鮭」であると、制御部１２０は記憶部１１０からカテゴリ情報として「カテゴリ３」を取得する。
【００６６】
また、制御部１２０は、前処理で設定された文字の字体や表示サイズに基づいて、抽出した漢字の字体（フォント種類）および表示サイズの情報を取得する（ステップＳ１４）。
【００６７】
続いて、制御部１２０は、距離測定部１３０から通知された距離、取得したカテゴリ情報、漢字のフォント種類および表示サイズが、記憶部１１０に記憶されている変換条件を満たすかどうかを判定する（ステップＳ１５）。
【００６８】
距離測定部１３０から通知された距離、カテゴリ情報、漢字のフォント種類および表示サイズが、記憶部１１０に記憶されている変換条件を満たすと制御部１２０が判定した場合、制御部１２０は、当該漢字をかな文字（例えば、ひらがな）へ変換する（ステップＳ１６）。その後、制御部１２０は、漢字を変換した表示内容を表示部２００に表示させる（ステップＳ１７）。
【００６９】
一方、ステップＳ１５にて、距離測定部１３０から通知された距離、カテゴリ情報、漢字のフォント種類および表示サイズが、記憶部１１０に記憶されている変換条件を満たさないと制御部１２０が判定した場合は、制御部１２０は、当該漢字を変換せずに、表示内容を表示部２００に表示させる。
【００７０】
なお、距離測定部１３０が表示部２００の表示面から利用者の顔までの距離を測定するタイミングおよび測定した距離を制御部１２０へ通知するタイミングは、前述したものに限らない。例えば、距離測定部１３０は、あらかじめ設定された周期で表示部２００の表示面から利用者の顔までの距離を測定し、測定した都度、制御部１２０へ測定結果を通知するものであっても良い。その場合、制御部１２０は、距離測定部１３０からの通知があった都度、ステップＳ１５の判定を行い、表示部２００に表示させている漢字の変換を行うものであっても良い。
【００７１】
このように、制御部１２０が、表示部２００に表示させようとする漢字を、利用者の顔から表示部２００までの距離および漢字の表示形態に基づいて、かな文字へ変換して表示させることで、利用者に負担をかけずに当該漢字を視認し易くすることができる。さらに、センサ機能を具備した距離測定部１３０を用いることで、利用者の顔から表示部２００までの正確な距離に応じた処理を行うことができる。
（第３の実施の形態）
図１０は、本発明の情報機器の第３の実施の形態を示す図である。
【００７２】
本形態における情報機器１２には図１０に示すように、表示制御装置１０２と、表示部２００とが設けられている。なお、図１０は、情報機器１２に設けられた構成要素のうち、本実施の形態に関わる主要な構成要素の一例を示す。
【００７３】
表示部２００は、第１の実施の形態のものと同じものである。
【００７４】
表示制御装置１０２は、表示部２００における表示を制御する。
【００７５】
図１１は、図１０に示した表示制御装置１０２の内部構成の一例を示す図である。
【００７６】
図１０に示した表示制御装置１０２には図１１に示すように、記憶部１１１と、制御部１２１とが設けられている。なお、図１１には、表示制御装置１０２に設けられた構成要素のうち、本実施の形態に関わる主要な構成要素の一例を示す。
【００７７】
記憶部１１１は、第１の実施の形態におけるものと同様に、漢字の視認度に応じた分類情報に基づいて、漢字を分類して記憶する。また、記憶部１１１は、表示部２００に表示させる漢字を変換する条件である変換条件を分類情報ごとに記憶する。
【００７８】
図１２は、図１１に示した記憶部１１１に記憶された変換条件の一例を示す図である。
【００７９】
図１１に示した記憶部１１１には図１２に示すように、カテゴリ条件となる分類情報、漢字のフォントの種類（字体）、漢字のフォントサイズ（表示サイズ）、距離および表示変更内容が変換条件として記憶されている。カテゴリ条件、フォント種類、フォントサイズおよび距離については、第１の実施の形態におけるものと同じである。表示変更内容は、漢字の変換後の内容である。つまり、第１および第２の実施の形態においては、漢字をひらがなへ変換したが、本実施の形態においては、漢字をひらがな以外への表示内容への変換を可能とする。表示変更内容は、例えば、「カタカナで表示する」、「表示フォントサイズを２ｐｏｉｎｔあげて表示する」、「表示フォントサイズを小さくする代わりに表示左側にルビを付与する」等、ひらがなへの変換と同様に、当該漢字を視認し易くする表示とする内容である。この表示変更内容を含むこれらの条件は、あらかじめ登録されているものであり、例えば、初回設定ウィザードでの設定や、個別のユーザ設定等、任意の入力方法を用いて外部から設定・編集可能なものである。
【００８０】
制御部１２１は、表示部２００に表示させる漢字を、利用者の顔と表示部２００との間の距離、表示部２００に表示させる漢字の表示形態および記憶部１１１に記憶されている変換条件に基づいて変換する。この表示形態とは、表示部２００に表示させる漢字のフォントの種類（字体）およびフォントサイズ（表示サイズ）である。具体的には、制御部１２１は、利用者の顔と表示部２００との間の距離および表示部２００に表示させる漢字の表示形態が、記憶部１１１に記憶されている変換条件と合致する場合、漢字を表示変更内容にしたがった内容へ変換して表示部２００に表示させる。一方、制御部１２１は、利用者の顔と表示部２００との間の距離および表示部２００に表示させる漢字の表示形態が、記憶部１１１に記憶されている変換条件と合致しない場合は、表示部２００に表示させる漢字を変換せずに表示部２００に表示させる。
【００８１】
以下に、本形態における表示制御方法について説明する。
【００８２】
図１３は、図１０に示した形態における表示制御方法を説明するためのフローチャートである。
【００８３】
まず、前処理として、利用者の操作に基づいて、制御部１２１は、表示部２００に表示させる文字の字体や表示サイズを設定する。この設定は、情報機器１２における全般の設定もしくは各アプリケーション個別の表示設定を含む。
【００８４】
制御部１２１は、表示部２００に表示させる文字列から漢字を抽出する（ステップＳ２１）。制御部１２１は、抽出した漢字が分類されているカテゴリ情報を記憶部１１１から取得する（ステップＳ２２）。
【００８５】
また、制御部１２１は、前処理で設定された文字の字体や表示サイズに基づいて、抽出した漢字の字体（フォント種類）および表示サイズの情報を取得する（ステップＳ２３）。
【００８６】
続いて、制御部１２１は、利用者の顔と表示部２００との間の距離、取得したカテゴリ情報、漢字のフォント種類および表示サイズが、記憶部１１１に記憶されている変換条件を満たすかどうかを判定する（ステップＳ２４）。
【００８７】
利用者の顔と表示部２００との間の距離、カテゴリ情報、漢字のフォント種類および表示サイズが、記憶部１１１に記憶されている変換条件を満たすと制御部１２１が判定した場合、制御部１２１は、当該漢字を、変換条件に含まれる表示変更内容へ変換する（ステップＳ２５）。その後、制御部１２１は、漢字を変換した表示内容を表示部２００に表示させる（ステップＳ２６）。
【００８８】
一方、ステップＳ２４にて、利用者の顔と表示部２００との間の距離、カテゴリ情報、漢字のフォント種類および表示サイズが、記憶部１１１に記憶されている変換条件を満たさないと制御部１２１が判定した場合は、制御部１２１は、当該漢字を変換せずに、表示内容を表示部２００に表示させる。
【００８９】
このように、制御部１２１が、表示部２００に表示させようとする漢字を、利用者の顔から表示部２００までの距離および漢字の表示形態に基づいて、視認し易い表示内容へ変換して表示させることで、利用者に負担をかけずに当該漢字を視認し易くすることができる。
【００９０】
なお、情報機器１０，１１，１２は、携帯電話機、携帯端末、タブレット型やノート型のＰＣ（Ｐｅｒｓｏｎａｌ  Ｃｏｍｐｕｔｅｒ）、スマートフォン、ＰＤＡ（Ｐｅｒｓｏｎａｌ  Ｄｉｇｉｔａｌ  Ａｓｓｉｓｔａｎｔｓ）、ゲーム機、デジタルカメラ、電子ブック等の電子機器である。
【００９１】
また、表示制御装置１００，１０１，１０２それぞれに設けられた各構成要素が行う処理は、目的に応じてそれぞれ作製された論理回路で行うようにしても良い。また、処理内容を手順として記述したコンピュータプログラム（以下、プログラムと称する）を表示制御装置１００，１０１，１０２それぞれにて読取可能な記録媒体に記録し、この記録媒体に記録されたプログラムを表示制御装置１００，１０１，１０２それぞれに読み込ませ、実行するものであっても良い。表示制御装置１００，１０１，１０２それぞれにて読取可能な記録媒体とは、フロッピー（登録商標）ディスク、光磁気ディスク、ＤＶＤ、ＣＤなどの移設可能な記録媒体の他、表示制御装置１００，１０１，１０２それぞれに内蔵されたＲＯＭ、ＲＡＭ等のメモリやＨＤＤ等を指す。この記録媒体に記録されたプログラムは、表示制御装置１００，１０１，１０２それぞれに設けられたＣＰＵ（不図示）にて読み込まれ、ＣＰＵの制御によって、前述したものと同様の処理が行われる。ここで、ＣＰＵは、プログラムが記録された記録媒体から読み込まれたプログラムを実行するコンピュータとして動作するものである。
【００９２】
上記の実施の形態の一部または全部は、以下の付記のようにも記載され得るが、以下には限られない。
（付記１）漢字の視認度に応じた分類情報に基づいて該漢字を分類して記憶し、前記漢字を変換する条件である変換条件を前記分類情報ごとに記憶する記憶部と、
利用者の顔と表示部との間の距離および前記表示部に表示させる漢字の表示形態が、前記記憶部に記憶されている前記変換条件を満たしているかどうかを判定し、前記変換条件を満たしていると判定した場合、該漢字を変換する制御部とを有する表示制御装置。
（付記２）前記制御部は、前記漢字をかな文字へ変換する、付記１に記載の表示制御装置。
（付記３）前記距離を測定する距離測定部を有する、付記１または付記２に記載の表示制御装置。
（付記４）前記記憶部は、前記漢字の複雑さを前記分類情報として用いて、前記漢字を分類して記憶する、付記１から３のいずれか１項に記載の表示制御装置。
（付記５）前記記憶部は、前記漢字と該漢字以外の漢字との類似のレベルを前記分類情報として用いて、前記漢字を分類して記憶する、付記１から４のいずれか１項に記載の表示制御装置。
（付記６）前記記憶部は、前記変換条件として、前記漢字の字体、該漢字の表示サイズおよび前記利用者の顔と前記表示部との間の距離範囲を記憶する、付記１から５のいずれか１項に記載の表示制御装置。
（付記７）利用者の顔と表示部との間の距離を測定する処理と、
前記利用者の顔と前記表示部との間の距離および前記表示部に表示させる漢字の表示形態が、前記漢字の視認度に応じて前記漢字を分類した分類情報ごとに記憶されている変換条件を満たしているかどうかを判定する処理と、
前記変換条件を満たしていると判定した場合、前記表示部に表示させる漢字を変換する処理とを行う表示制御方法。
（付記８）コンピュータに、
利用者の顔と表示部との間の距離を測定する手順と、
前記利用者の顔と前記表示部との間の距離および前記表示部に表示させる漢字の表示形態が、前記漢字の視認度に応じて前記漢字を分類した分類情報ごとに記憶されている変換条件を満たしているかどうかを判定する手順と、
前記変換条件を満たしていると判定した場合、前記表示部に表示させる漢字を変換する手順とを実行させるためのプログラム。
（付記９）表示部と、
漢字の視認度に応じた分類情報に基づいて該漢字を分類して記憶し、前記漢字を変換する条件である変換条件を前記分類情報ごとに記憶する記憶部と、
利用者の顔と前記表示部との間の距離および前記表示部に表示させる漢字の表示形態が、前記記憶部に記憶されている前記変換条件を満たしているかどうかを判定し、前記変換条件を満たしていると判定した場合、該漢字を変換する制御部とを有する情報機器。
【符号の説明】
【００９３】
１０，１１，１２    情報機器
１００，１０１，１０２    表示制御装置
１１０，１１１    記憶部
１２０，１２１    制御部
１３０    距離測定部
２００    表示部
【図１】
2014182703.tif 000003
【図２】
2014182703.tif 000004
【図３】
2014182703.tif 000005
【図４】
2014182703.tif 000006
【図５】
2014182703.tif 000007
【図６Ａ】
2014182703.tif 000008
【図６Ｂ】
2014182703.tif 000009
【図６Ｃ】
2014182703.tif 000010
【図７】
2014182703.tif 000011
【図８】
2014182703.tif 000012
【図９】
2014182703.tif 000013
【図１０】
2014182703.tif 000014
【図１１】
2014182703.tif 000015
【図１２】
2014182703.tif 000016
【図１３】
2014182703.tif 000017